(57)【要約】【課題】液晶装置の表示が更なる高解像度や高密度化しても装置の全体幅が大型化せず、画像品質が確保できるあるいは向上する液晶装置をえる。【解決手段】画素電極と前記画素電極と導通する引き廻し配線であるところの配線電極を有する第１基板と第２基板が液晶と液晶を封止する枠状のシール材を挟持し対向した構成を有する液晶装置において、前記第２基板には複数の前記画素電極とこの画素電極と導通する複数の引き回し配線が配設されており、複数の前記引き廻し配線であるところの配線電極の一部の前記引き廻し配線であるところの配線電極の上には絶縁膜を介して少なくとも他の一部の前記引き廻線が配設された多層をなす部位が設けられ、前記部位を経て前記第１基板の画素電極と導通する前記引き廻し配線であるところの配線電極を有することを特徴とする液晶装置。【選択図】      図２
2004205925.tif 000002
【特許請求の範囲】
【請求項１】
液晶層を挟んで対向して配置した２枚の基板の少なくとも一方の基板が、複数の画素電極とこの複数の画素電極に信号を供給する複数の配線電極とを有する液晶装置において、
一方の基板上の前記画素電極に接続される前記複数の配線電極が絶縁膜を介して多層に積層されていることを特徴とする液晶装置。
【請求項２】
前記多層の最下層が前記配線電極であり、最上層が前記絶縁膜の層であることを特徴とする請求項１に記載の液晶装置。
【請求項３】
前記多層の最下層が前記配線電極であり、最上層が前記配線電極であることを特徴とする請求項１に記載の液晶装置。
【請求項４】
最下層より上層にに設けられた前記配線電極の一部がスルーホールを介して前記最下層の面と同じ面に設けられた他の前記配線電極あるいは前記画素電極と導通することを特徴とする請求項１または請求項２または請求項３に記載の液晶装置。
【請求項５】
２枚の前記基板が第１基板と第２基板よりなり前記第１基板の外縁から前記第２基板が延出した延出部には、多層の前記配線電極が多層を解消し一層で前記配線電極が配設されたことを特徴とする請求項１乃至４のいずれか１に記載の液晶装置。
【請求項６】
前記配線電極の前記多層の部位は、第１、第２基板が対向した部位であり前記第２基板の延出方向に対して左右の基板辺である前記第２基板の基板辺に沿って配設されたことを特徴とする請求項５に記載の液晶装置。
【請求項７】
前記多層の部位が、前記シール材が配設された配設部に設けられていることを特徴とする請求項５または６に記載の液晶装置。
【請求項８】
多層の前記配線電極をシール材が配設された配設部より前記画素電極側に設けたことを特徴とする請求項５または６に記載の液晶装置。
【請求項９】
前記延出部に集積回路素子が実装されていることを特徴とする請求項５乃至請求項８のいずれか１に記載の液晶装置。
【請求項１０】
前記延出部にＦＰＣが接続されていることを特徴とする請求項５乃至請求項９のいずれか１に記載の液晶装置。
【発明の詳細な説明】
【０００１】
【発明の属する技術分野】
本発明は、携帯電話、ＰＤＡなどの小型の液晶装置に関するもので、特に液晶装置を構成する液晶パネルの基板面に配設される走査（共通）電極引き廻し配線であるところの配線電極に関するものである。
【０００２】
【従来技術】
従来の液晶装置の構成を図面に基づいて説明する。
図１７（ｂ）はＱＣＩＦ規格の液晶装置を用いた携帯電話の平面図、図１７（ａ）はＥＱＣＩＦ規格の液晶装置を用いた携帯電話の平面図、図１８は従来の液晶装置の平面図、図１９は従来の液晶装置の説明用の分解斜視図、図２０は、図１８におけるＤ−Ｄ線に沿う部分拡大断面図、図２１は、図１８におけるＥ−Ｅ線に沿う部分拡大断面図、図２２は、従来の他の液晶装置の平面図である。
【０００３】
従来、図１７（ｂ）に示すように例えば携帯電話２００の液晶装置２１０は、ＩＴＵ（国際電気通信連合）で規定されているＱＣＩＦ（クオーター・コモンインターメディエット・フォーマット：Ｑｕａｒｔｅｒ  Ｃｏｍｍｏｎ  Ｉｎｔｅｒｍｅｄｉａｔｅ  Ｆｏｒｍａｔ）規格で、１７６×１４４ピクセルの解像度を有するものが最近市場に現れた。従って、図２２に示すように引き廻し配線であるところの配線電極２３１が片側に引き廻されていた。また１チップの集積回路を延出部１１５に実装されるときには、一般に走査電極の引き廻し配線であるところの配線電極は集積回路の左右の側面から液晶が封止されている領域に向けて基板の両側部を配線される。
しかし、最近では筺体の更なる小型化特に幅方向のサイズダウン化と高機能化に伴い、液晶表示の高解像度化が求められている。このような液晶表示の高解像度化の要求に対して、図１７（ａ）に示すように携帯電話１００の液晶装置１１０は、さらに上位規格であるＥＱＣＩＦ（エクステンド・クオーター・コモン・インターメディエット・フォーマット：Ｅｘｔｅｎｄ  Ｑｕａｒｔｅｒ  Ｃｏｍｍｏｎ  Ｉｎｔｅｒｍｅｄｉａｔｅ  Ｆｏｒｍａｔ：ＱＣＩＦ＋とも称される）規格で、１７６×２２０ピクセルの解像度を有する縦長の表示部を備えたものがある。本規格の液晶装置にあっては、液晶装置２１０のごとく片側のみに配線を引き廻すのではなく図１８のごとく左右に引き回し配線１３１，１３２が配設される。
図１７（ａ）、（ｂ）の携帯電話１００、２００の液晶装置１１０、２１０は図では表されていないが、共に図１７の図面上で縦長の形状をなしている。
【０００４】
従来の液晶装置１１０は、図１８乃至図２１に示すように構成されている。尚、液晶装置２１０の構成は、透明導電膜からなる走査電極の電極数（１４４本）の差異と引き廻し配線の引き廻し領域が片側のみに配設される構成であって、基本的に液晶装置としての構成であるところの、電極を有する基板を対向させて注入口を有する枠状のシール材で接着し、シール材で囲まれた空間に液晶を注入し、注入口を封止材よりなる接着剤で封止する。これらの構成は、液晶装置１１０と液晶装置２１０は同じである。この為、詳細な説明を省略する。
【０００５】
従来の液晶装置１１０は、図１９に示すように、ガラスなどの透明部材からなる第１の基板１１１の対向面に図示しないカラーフィルターが配設されるとともに、該カラーフィルター上にＩＴＯ等の透明導電膜からなる複数の信号電極１２０と該信号電極１２０から延出して引き廻し配線であるところの配線電極１２１が延長して形成されるとともに、該引き廻し配線であるところの配線電極１２１の前端が接続部１２１ａとなっている。また、信号電極１２０上には図示しない絶縁膜が被覆されるとともにさらに液晶と接するように配向膜が配設され、この配向膜がラビング処理される。
【０００６】
一方、第２の基板１１２は、第１の基板１１１と同様の透明部材からなり、対向面にＩＴＯ等の透明導電膜からなるストライプ状の走査電極１３０が視認者方向から見て、前記信号電極１２０と直交するように配設されている。上記した信号電極１２０と走査電極１３０の直交部が図１８に示すように画素Ｇを成し、画像を表示する表示領域１４０を形成している。また、走査電極１３０上には図示しない配向膜がラビング処理されている。
【０００７】
また、図１８に示すように走査電極１３０は、１１０本ずつ２分割され、走査電極群１３０−１、１３０−２がそれぞれ形成されている。該走査電極群１３０−１の右端には引き廻し配線であるところの配線電極１３１が延長して形成されおり、また、走査電極群１３０−２の左端には引き廻し配線であるところの配線電極１３２が延長して形成されている。これらの引き廻し配線であるところの配線電極１３１、１３２の端部は、それぞれ電気的に導通する接続部１３１ａ、１３２ａを形成している。また、第２の基板１１２の左右に形成された接続部１３１ａ、１３２ａの間には接続部１２１ｂが形成されている。
【０００８】
また、図１９に示すように第２の基板１１２は、第１の基板１１１の端辺より延出して成形されており、延出部１１５が形成されている。該延出部１１５には接続部１３１ａ、１３２ａ及び接続部１２１ｂが配設されている。該接続部１２１ｂは、上記した接続部１２１ａとシール材１１３に含有された図示しない導電性の粒子によって電気的に導通する。
【０００９】
また、液晶装置１１０は、図２０乃至図２１に示すように第１の基板１１１及び第２の基板１１２の対向面にエポキシ樹脂などの接着剤からなるシール材１１３が第１の基板１１１の外周に沿って配設されるとともに、第１の基板１１１と第２の基板１１２とにシール材が狭持されシール材内の液晶も挟持される。該シール材１１３により、第１の基板１１１及び第２の基板１１２との間隙の枠状シール材の内部に空間を有して接着され、液晶セル（液晶が注入される前にの状態）が構成される。また、該液晶セルの内部空間内に一定の間隙を設けるために粒状や円柱状の図示しないスペーサが散布されるとともにシール材１１３の内部空間に該シール材１１３の一片に形成された図示しない注入口から真空注入法などにより、液晶１１４を注入した後、該注入口を樹脂で封止して構成されている。
【００１０】
【特許文献１】
特開２００１−１７４８４２号公報（第４頁、第５図、第６図）
【００１１】
【発明が解決しようとする課題】
しかしながら、上記した従来の液晶装置１１０にあっては、顧客からの更なる小型・軽量化が求められており、各社とも今後、発売される携帯電話などのモバイル端末に搭載される液晶装置としては最優先される事項となった。従って、図１８に示す画像表示領域１４０の表示幅Ｌを変えることなく、液晶装置１１０の装置の全体幅Ｗ１をいかに小さくできるかが、小型の液晶装置の課題となった。従来の液晶装置１１０ではこれ以上の小型化をするためには各引き廻し配線の間隔と各電極幅を狭くすることによって、可能となるが電極の配線抵抗が大きくなって、駆動波形歪みが多くなり、クロストークが発生して表示品質の低下を招く、アクティブ液晶装置でよく用いられるアナログ駆動信号が正しく伝達されないため表示品質が低下する、などの問題点を有していた。
【００１２】
本発明は、上記の問題点に着目して成されたものであって、携帯電話などのモバイル端末に搭載される液晶装置が、電極の本数あるいは画素が多数である高密度画素、高解像度であっても従来のものより引き廻し配線であるところの配線電極の面的空間を多く必要とせず、小型化でき、引き廻し配線であるところの配線電極の間隔と電極幅を広くとれることによって、電極の配線抵抗が小さくでき、配線抵抗の低抵抗化が得られるため駆動波形歪みが少なくなり、クロストークを防ぐことが可能な液晶装置の提供を目的とする。
【００１３】
【課題を解決するための手段】
上記課題を解決するために本発明は、液晶層を挟んで対向して配置した２枚の基板の少なくとも一方の基板が、複数の画素電極とこの複数の画素電極に信号を供給する複数の配線電極とを有する液晶装置において、一方の基板上の前記画素電極に接続される前記複数の配線電極が絶縁膜を介して多層に積層されていることを特徴とする。
【００１４】
また、前記多層の最下層が前記配線電極であり、最上層が前記絶縁膜の層であることを特徴とする。
【００１５】
また、前記多層の最下層が前記配線電極であり、最上層が前記配線電極であることを特徴とする。
【００１６】
また、最下層より上層にに設けられた前記配線電極の一部がスルーホールを介して前記最下層の面と同じ面に設けられた他の前記配線電極あるいは前記画素電極と導通することを特徴とする。
【００１７】
また、２枚の前記基板が第１基板と第２基板よりなり前記第１基板の外縁から前記第２基板が延出した延出部には、多層の前記配線電極が多層を解消し一層で前記配線電極が配設されたことを特徴とする。
【００１８】
また、前記配線電極の前記多層の部位は、第１、第２基板が対向した部位であり前記第２基板の延出方向に対して左右の基板辺である前記第２基板の基板辺に沿って配設されたことを特徴とする。
【００１９】
また、前記多層の部位が、前記シール材が配設された配設部に設けられていることを特徴とする。
【００２０】
また、多層の前記配線電極をシール材が配設された配設部より前記画素電極側に設けたことを特徴とする。
【００２１】
また、前記延出部に集積回路素子が実装されていることを特徴とする。
【００２２】
また、前記延出部にＦＰＣが接続されていることを特徴とする。
【００２３】
【発明の実施の形態】
以下、本発明に係わる実施の形態について説明するが、まず図１乃至図１２に基づいて説明する。
図１は本発明に係わる液晶装置の透視状態での概略平面図、図２は同液晶装置の説明用の分解斜視図、図３は同第１の基板の平面図、図４は同第２の基板に於ける画素電極に相当する走査電極と前記画素電極と導通している配線電極である複数の引き廻し線の一部であるところの前記基板面側である下層の引き廻し配線であるところの配線電極を示す平面図、図５は同第２の基板に於ける絶縁層とスルーホールを示す平面図、図６（ａ）は、同第２の基板に於ける右辺に配設される図４の下層の引き廻し配線であるところの配線電極の上方に配設される上層の引き廻し配線であるところの配線電極を示す平面図、図６（ｂ）は同第２の基板に於ける左辺に配設される図４の下層の引き廻し配線であるところの配線電極の上方に配設される上層の引き廻し配線であるところの配線電極を示す平面図、図７は同第２の基板３の延出部に於ける各電極の接続構成を示す分解斜視図、図８は図７から第１の基板２を除いた状態を示す平面図、図９は図１におけるＡ−Ａ線に沿う要部断面図、図１０は図１におけるＢ−Ｂ線に沿う要部断面図、図１１は図１におけるＣ−Ｃ線に沿う要部断面図、図１２（ａ）は同液晶装置の延出部１５に駆動ＩＣ３０とＦＰＣ６１を接続した状態を示す平面図、図１２（ｂ）は同液晶装置の延出部１５にＦＰＣ６１のみを接続した状態を示す平面図である。
【００２４】
本発明の第１の実施の形態の液晶装置１は、図１及び図２に示すように、第１の基板２と第２の基板３とが間隙を有して対向配置され、該間隙の周囲に枠状のシール材４を配設た配設部位の内側に形成された空間（間隙）に液晶５を封止た構成を有する。
【００２５】
以下に液晶装置１の構成を詳細に説明する。
図２及び図３に示すように第１の基板２は、ガラスなどの透明部材からなる第１透明基板６の第２の透明基板９に対向する対向面６Ａ上には図示しないＲＧＢカラーフィルターが配設されおり、該カラーフィルター上に平坦化膜を介してインジウムスズ酸化物（ＩＴＯ）等の透明導電膜からなる１７６本（図面では省略している）の画素電極に相当する信号電極７がストライプ状に形成されている。該信号電極７の先端には引き廻し配線であるところの配線電極８が延長して形成されており、その端部に接続部８ａを有している。さらに信号電極７上には図示しない配向膜を印刷し、配硬膜をラビング処理する。
【００２６】
また、図２に示すように第２の基板３は、ガラスなどの透明部材からなる第２透明基板９には、複数の引き廻し線である配線電極の一部が残りの引き廻し線であるところの配線電極の上に重なり多層なすところの多層の引き廻し配線であるところの配線電極である下層の引き廻し配線であるところの配線電極２０、２１と絶縁層１０と上層の引き廻し配線であるところの配線電極１１、１２とを配して構成されている。このとき、複数の引き廻し線であるところの配線電極の一部の本数と残りの引き廻し線の本数とが一致して重なりあうことは必ずしも必要ではなく重なり合う本数を適宜決めるのがよい。例えば、下層の引き廻し本数を上層の引き廻し本数より多くする、あるいは前記関係を逆の関係とした本数に設定してもよい。
また、第２透明基板９は、図４に示すように対向面９Ａ上に前記信号電極７と同様、ＩＴＯ等の透明導電膜からなる２２０本の走査電極１３がストライプ状に形成されている。該走査電極１３は、前記信号電極７と平面視で直交して形成されており、図１に示すように該直交部（交差部）が画素Ｇを形成するとともに画像を表示する表示領域１４を構成する。また、図９に示すように第２透明基板９は、第１透明基板６より寸法が長くなっている。第１透明基板６の１辺より第２透明基板９が延出しており、この延出した、すなわち突き出した部分が延出部１５を形成している。また、図２に示していないが走査電極１３の上に配向膜が配設され前記配向膜がラビング処理されている。
図２では、第２透明基板９の延出部１５には引き廻し配線であるところの配線電極が配設される。延出部１５の先端近傍に配設された配線電極は、外部回路との接続ための端子が設けられている。この延出部１５の左右の部位は図より明らかなごとく、走査電極である走査電極１３に導通する引き廻し配線であるところの配線電極が延出部１５の一部の部位で絶縁膜を介して多層になっており多層構成をなしている。図２に示されたごとく、多層をなす部位は、上層引き廻し配線であるところの配線電極１２と下層引き廻し配線であるところの配線電極２１が重なる部位のことである。
図２では示していないが、図１２（ａ）で示したごとく、延出部には駆動回路あるいは制御回路と駆動回路を内蔵した駆動ＩＣである集積回路６０を実装し、接続部２０ａと接続部１１ｃと接続部２１ａと接続部１２ｃと接続部８ｂを駆動ＩＣである集積回路６０と接続する。
さらに、図２では示していないが、図１２（ｂ）で示したごとく、延出部１５には液晶装置１の外に設けられた駆動回路あるいは制御回路が実装されたＦＰＣあるいは液晶装置１の外に設けられ駆動回路及び制御回路が実装された基板に接続されたＦＰＣを、接続部２０ａと接続部１１ｃと接続部２１ａと接続部１２ｃと接続部８ｂに接続してもよい。
【００２７】
また、第２の基板３は、図２及び図４に示すように第２透明基板９の第１透明基板６と対向する対向面９Ａ上に形成された走査電極１３は、それぞれ５５本の電極ごとに電極群１６、１７、１８、１９に分けられている。該電極群のうち電極群１６には右端に延出して多層の引き廻し配線であるところの配線電極である下層の引き廻し配線であるところの配線電極２０が一体に形成されており、前端部が接続部２０ａを形成している。また、電極群１８の左端には延出して下層の引き廻し配線であるところの配線電極２１が一体に形成され、前側の端部が接続部２１ａを形成して延出部１５に配設されている。さらに延出部１５には接続部２０ａの外方に隣接して接続部１１ｃと、接続部２１ａの外方に隣接して接続部１２ｃとがそれぞれ５５本ずつ、島状の電極形状をなして配設されている。また、接続部２０ａと接続部２１ａとの間には接続部８ｂがそれぞれ島状の電極形状をなして配設されている。また、図１に示すように延出部１５に配設された各接続部を除いたところの下層の引き廻し配線であるところの配線電極２０、２１は、枠状のシール材４の枠が配設されたシール材の配設部の内側である画素部側に形成されるのがシール材の接着の安定性から好ましいが、シール材４の下にであるシール材配設部に配設してもよい。シール下に配設した場合には、画素周囲あるいは表示領域周囲においての引き廻し線であるところの配線電極の多層により多層の部位で液晶厚みが画像を形成する画素部分に比べ薄くなり表示領域全体でみたときの表示ムラを防ぐ利点がある。本発明のシール材４には異方性導電シール材（シール材が接着性の絶縁樹脂と導電粒子あるいは、導電粒子と非導電粒子）を用いているので、シール材の配設部であるシール材４の下に配線する場合には最上層の引き廻し配線であるところの配線電極の上も絶縁膜で覆う必要がある。このように本発明は、配線電極を多層とすることで液晶装置１の幅Ｗは極力小さくできるため、更なる小型化ができる。本実施の形態では、多層とする配線電極は、走査線と接続される配線電極同士を多層とした。
【００２８】
また、第２の基板３は、図２示すように第２透明基板９の上の引き廻し配線であるところの配線電極２０、２１の上に絶縁層１０が積層されている。該絶縁層１０は、図５に示すように表示領域１４（図１参照）と略同寸法の窓部２３を有する枠部２２からなる。該枠部２２の右枠部（図５に於いて上側の枠部分）には絶縁層１０を貫通した５５個の孔の内に導電性ペーストなどの導電物質が充填され、絶縁膜を挟んで上下の電極が電気的に接続が可能となるスルーホール２４が設けられている。同様に、枠部２２の左枠部（図５に於いて下側の枠部分）にはスルーホール２５が設けられており、さらに枠部２２の前枠部（図５に於いて右側の枠部分）にはそれぞれスルーホール２６、２７が設けられている。絶縁層１０は、接続部１１ｃ、１２ｃを避けた下層の引き廻し配線であるところの配線電極２０、２１と各接続部８ｂ、２０ａ、２１ａの後端部（図２に於ける走査電極１３側端部）を含む範囲に積層設されている。
【００２９】
さらに、第２の基板３は、図２に示すように絶縁層１０の上に上層の引き廻し配線であるところの配線電極１１、１２がそれぞれ対向して形成されている。該上層の引き廻し配線であるところの配線電極１１は、図６（ａ）に示すように曲がった形状をなしており、両端部がそれぞれ接続部１１ａ、１１ｂを形成している。また、上層の引き廻し配線であるところの配線電極１２は、図６（ｂ）に示すように前記上層の引き廻し配線であるところの配線電極１１とは対向して曲がった形状をなしており、両端部がそれぞれ接続部１２ａ、１２ｂを形成している。また、上記した第２の基板３上には図示しない、配向膜が印刷された後、配向膜がラビング処理されている。
【００３０】
また、図９乃至図１１に示すように上記した第１の基板２に於ける第１透明基板６の対向面６Ａと第２の基板３に於ける第２透明基板９の対向面９Ａとが間隙を有して対向配置され、エポキシ樹脂接着剤などからなる枠状のシール材４が第１の基板２の外方にはみ出すことなく前記間隙の周囲に配設し、第１の基板２及び第２の基板３が貼り合わされて形成された空間（間隙）に液晶５を注入し封止して実施例１の液晶装置１が構成されている。
【００３１】
次に、各電極に於ける導通接続構成について説明する。
先ず、図２に示すように信号電極７の接続部８ａと接続部８ｂとはシール材４を介して上下に配設されている。エポキシ樹脂接着剤からなるシール材４は、異方性導電接着材よりなる導電性の粒子を含有しているため、導電性粒子により接続部８ａと接続部８ｂとが上下方向に導通されている。また、図１０に示すように上層の引き廻し配線であるところの配線電極１１の接続部１１ａは、スルーホール２４を介して電極群１７の接続部１７ａ（図４参照）と導通するとともに、図７及び図８示すように接続部１１ｂは、スルーホール２６を介して下層の引き回し配線である接続部１１ｃと導通する。同様に図２及び図１１示すように上層の引き廻し配線であるところの配線電極１２の接続部１２ａは、スルーホール２５を介して電極群１９の接続部１９ａ（図４参照）と導通するとともに、図７示すように接続部１２ｂは、スルーホール２７を介して下層の引き回し配線である接続部１２ｃと導通する。また、図１及び図８に示すように上層の引き廻し配線であるところの配線電極１１、１２と下層の引き廻し配線であるところの配線電極２０、２１とは絶縁層１０を介して重なり合っているためスルーホール部位以外は導通することはない。
【００３２】
また、図１２（ａ）に示すように上記した液晶装置１の延出部１５に引き廻し形成された各電極は、延出部１５上に実装された集積回路である駆動ＩＣ３０と接続される。さらに図示しない液晶装置１とは別体の制御回路基板と液晶装置とがＦＰＣ（フレキシブル回路基板）６１で接続される。また、図１２（ｂ）に示すように液晶装置１には延出部１５に引き廻し形成された各電極がＦＰＣ６１と接続されるが駆動ＩＣは、液晶装置１に実装されない。一方、ＦＰＣ６１自体に駆動ＩＣを実装してもよい。
【００３３】
以上の構成により、図１に示す各引き廻し配線であるところの配線電極の幅は、従来の電極数１１０本に対して半分の５５本で済み、第２の基板３の左右に対向して配設される各引き廻し配線であるところの配線電極の引き廻し領域の幅Ｓは、図１８に示す従来の引き廻し領域の幅Ｓ１と比較すると略半分となった。従って、液晶装置１の表示幅Ｌを特に変えずとも、液晶装置１の全体幅Ｗは、図１８に示す従来の液晶装置１１０の全体幅Ｗ１と比較しても１１パーセントも小型化ができた。また、本実施の形態では、電極数が増えたのに配線電極であるところの引き廻し配線の電極幅及び電極間の隙間を従来と同じにでき、表示画像のクロストークの問題を生じることがない。即ち、従来の配線面積で配線数を多くできしかも配線抵抗の増加を防いでいるのが本発明である。
【００３４】
次に、本発明の第２の実施形態における液晶装置の構成を、図１３を用いて説明する。図１３は、本発明に係る第２の実施形態における液晶装置の第２の基板の延出部１５に於ける各電極の接続構成を示す分解斜視図である。
尚、上記した第１の実施形態と本第２の実施形態の差異は、延出部１５に於ける絶縁層１０の積層範囲とそれに伴う各電極の導通接続構成のみにある。従って、他の同一の構成については、同一符号を付して詳細な説明を省略する。
【００３５】
また、図１３に示すように第２の実施形態における液晶装置１−１は、上記した第１の実施形態の液晶装置１と同様、第１の基板２と第２の基板３とが間隙を有して対向配置され、該間隙の周囲にシール材４を配設して形成された空間（間隙）に液晶５を封止して構成されている。また、第２透明基板９の対向面９Ａに走査電極１３である電極群１６（図４参照）が右側端に延出して下層の引き廻し配線であるところの配線電極２０−１と一体に形成されており、前端部が接続部２０ａ−１を形成している。また、電極群１８（図４参照）の基板の左側端に延出して下層の引き廻し配線であるところの配線電極２１−１と接続され、前端部が接続部２１ａ−１を形成して延出部１５に配設されている。
【００３６】
また、第２の基板３は、第２透明基板９上の延出部１５の前端に亙って絶縁層１０−１が積層されている。該絶縁層１０−１は、図５に示す絶縁層１０と同一箇所に同一な窓部２３とスルーホール２４、２５、２６、２７が配設されている。また、絶縁層１０−１上には上層の引き廻し配線であるところの配線電極１１−１、１２−１がそれぞれ左右に形成され、両端部がそれぞれ接続部１１ａ、１２ａ及び接続部１１ｂ−１、１２ｂ−１を形成している。該接続部１１ｂ−１、１２ｂ−１は、絶縁層１０−１の延出部１５−１上に接続部８ｂ−１とともに積層して配設されている。また、上記した第２の基板３上には図示しないところの配向膜を印刷し、前記配向膜にラビング処理がなされていることは液晶装置１と同様である。
【００３７】
次に、第２の実施形態における各電極の導通接続構成について説明する。
先ず、信号電極７の接続部８ａと接続部８ｂ−１とはシール材４を介して上下に配設されている。エポキシ樹脂接着剤からなるシール材４は、導電性の粒子を含有している異方性導電接着剤であるため、接続部８ａと接続部８ｂ−１との導通が得られる。また、下層の引き廻し配線であるところの配線電極２０−１、２１−１のそれぞれ接続部２０ａ−１、２１ａ−１は、スルーホール２６、２７を介して延出部１５−１に形成された接続部２０ｂ−１、２１ｂ−１と導通する。第２透明基板９は延出部１５を有している。絶縁層１０−１の延出部１５−１は、第２透明基板９上に設けられる。この絶縁層は、延出部の必要箇所のみをパターニングして覆う。例えば、接続端子部は、絶縁膜を配設しない。
また、絶縁層１０−１に対して上層の引き廻し配線であるところの配線電極１１−１は、電極群１７の接続部１７ａ（図４参照）と接続部１１ａとがスルーホール２４を介して導通する。さらに絶縁層１０−１に対し上層の引き廻し配線であるところの配線電極１２−１は、電極群１９の接続部１９ａ（図４参照）と接続部１２ａとがスルーホール２５を介して導通する。従って、図１３に示すように上層の引き廻し配線であるところの配線電極１１−１、１２−１と下層の引き廻し配線であるところの配線電極２０−１、２１−１とは絶縁層１０−１を介して重なっているため導通することはない。また、多層に積層された各引き廻し配線であるところの配線電極の幅は、第１の実施形態の液晶装置１と同様、電極数５５本分で済む。
【００３８】
以上の構成により、液晶装置１−１は、第１の実施の形態と同様の作用、効果を有する。
【００３９】
次に、本発明に係る第３の実施形態における液晶装置の構成を、図１４を用いて説明する。図１４は、本発明に係わる第３の実施形態における液晶装置の説明用の分解斜視図である。
尚、上記第１と第２の実施の形態と同じ構成をなす第３の実施形態の同一の構成については、同一符号を付して説明を省略する。
【００４０】
また、図１４に示すように第３の実施形態における液晶装置１−２は、第１の基板２と第２の基板３とが間隙を有して対向配置され、該間隙の周囲に枠状のシール材４を配設して形成された空間（間隙）に液晶５を封止して構成されている。また、第２透明基板９の対向面９Ａに走査電極１３である電極群１６の右端に延出してなる下層の引き廻し配線であるところの配線電極２０−２が電極群１６と一体に形成されており、前端部が接続部２０ａ−２を形成している。また、電極群１８の左端に延出してなる絶縁層１０−２の下層の引き廻し配線であるところの配線電極２１−２が電極群１８と一体に形成され、前端部が接続部２１ａ−２を形成して接続部８ｂとともに延出部１５に配設されている。
【００４１】
また、第２の基板３は、第２透明基板９上に絶縁層１０−２が積層されている。該絶縁層１０−２は、図５に示す絶縁層１０と同一寸法としており、窓部２３が設けられている。また、絶縁層１０−２上には走査電極１３である電極群１７の右端に延出して上層の引き廻し配線であるところの配線電極１１−２が一体に形成され積層されている。該上層の引き廻し配線であるところの配線電極１１−２の前端部が接続部１１ａ−２を形成している。同様に、絶縁層１０−２上には走査電極１３である電極群１９の左端に延出して上層の引き廻し配線であるところの配線電極１２−２が一体に形成され積層されている。該上層の引き廻し配線であるところの配線電極１２−２の前端部が接続部１２ａ−２を形成している。上記した第２の基板３上には図示しないところの、配向膜が配設され、この配向膜にラビング処理がなされていることは上記第１と第２の実施形態と同様である。
【００４２】
上述したように第３の実施形態における導通すべき上下電極の間の導通接続構成は、スルーホールが介在しないため、延出部１５上に配設された各引き廻し配線であるところの配線電極の端部がそのまま駆動ＩＣ又は、ＦＰＣと導通接続されことになる。また、上層の引き廻し配線であるところの配線電極１１−２、１２−２と下層の引き廻し配線であるところの配線電極２０−２、２１−２とは絶縁層１０−２を介して重なり合うため導通することはない。従って、多層に積層された各引き廻し配線であるところの配線電極の幅は、上記第１と第２の実施形態と同様、電極数５５本分で済む。
【００４３】
以上の構成により、液晶装置１−２は、上記した第２の実施の形態と同様の作用、効果の他、絶縁層１０−２にスルーホールが不要となる。
この場合の生産工程では、絶縁層下に電極をパターニングの工程−絶縁層をパターニングする工程−絶縁層の上に電極をパターニングする工程となる。
このようにして、液晶装置１−２を小型化が得られる効果を有する。
【００４４】
次に、本発明の第４の実施形態における液晶装置の構成を、図１５を用いて説明する。図１５は、本発明に係る第４の実施形態における液晶装置の説明用の分解斜視図である。
尚、上記第１と第２と第３の実施の形態と本実施形態の差異は、上記実施形態が１層の絶縁層を介して２層の引き廻し配線であるところの配線電極を積層するのに対して２層の絶縁層を介して３層の引き廻し配線であるところの配線電極を積層する点にある。第１と第２と第３の実施の形態と同一の構成については、同一符号を付して詳細な説明を省略する。
【００４５】
図１５に示すように第４の実施形態における液晶装置１−３は、第１の基板２と第２の基板３とが間隙を有して対向配置され、その間にシール材４を配設して空間（間隙）を形成し、その空間に液晶５を注入し、その後封止して製造される。第２透明基板９の対向面９Ａに走査電極１３である適宜な本数からなる電極群３０、３１、３２、３３、３４、３５が形成されている。この内、電極群３０は、右端に延出して最下層である第２透明基板９上の下層引き廻し配線であるところの配線電極４０と一体に形成されており、前端部が接続部４０ａを形成する。また、電極群３１の第２透明基板９の左端に延出して下層の引き廻し配線であるところの配線電極４１（図１６参照）と接続され、これらが一体で形成され、この前端部が接続部４１ａを形成して第２透明基板９の延出部１５に配設されている。さらに延出部１５には接続部４０ａの内方に隣接して接続部４２ｃ、４４ｃと接続部４１ａの内方に隣接して接続部４３ｃ、４５ｃとが島状に配設されている。また、接続部４４ｃと接続部４５ｃとの間には信号電極７のための接続部８ｂが島状に配設されている。
【００４６】
また、第２透明基板９上に第１絶縁層１０Ａが積層されている。該第１絶縁層１０Ａは、窓部２３Ａを有し、該第１絶縁層１０Ａの右枠部にスルーホール４６、４８と左枠部にスルーホール４７、４９とが配設されている。さらに枠部の前側の左右にはスルーホール５０、５１、５２、５３が配設されている。また、第１絶縁層１０Ａ上には第１の上層の引き廻し配線であるところの配線電極４２、４３がそれぞれ左右の枠部に積層して形成されている。該第１の上層の引き廻し配線であるところの配線電極４２の両端部は、それぞれ接続部４２ａ、４２ｂを形成する。さらに第１の上層の引き廻し配線であるところの配線電極４３の両端部がそれぞれ接続部４３ａ、４３ｂを形成している。
【００４７】
また、第２透明基板９は、第１の上層の引き廻し配線であるところの配線電極４２、４３を有した積層である第１絶縁層１０Ａ上にさらに第２絶縁層１０Ｂが積層されている。該第２絶縁層１０Ｂは、窓部２３Ｂを有し、右枠部にスルーホール５４と左枠部にスルーホール５５とが配設されている。さらに枠部の前側の左右にはスルーホール５６、５７が配設されている。また、第２絶縁層１０Ｂ上には第２の上層の引き廻し配線であるところの配線電極４４、４５がそれぞれ左右の枠部に積層して形成されている。該第２の上層の引き廻し配線であるところの配線電極４４の両端部は、それぞれ接続部４４ａ、４４ｂを形成するとともに第２の上層の引き廻し配線であるところの配線電極４５の両端部がそれぞれ接続部４５ａ、４５ｂを形成している。
【００４８】
さらに、第４の実施形態における各電極の導通接続構成について説明する。
第１の基板２に配設された信号電極７は、シール材４を介して接続部８ａと接続部８ｂとが導通する。また、第２の基板３に配設された走査電極１３である電極群３２は、第１絶縁層１０Ａのスルーホール４６を介して電極群３２の接続部３２ａと第１の上層の引き廻し配線であるところの配線電極４２の接続部４２ａとが導通する。また、スルーホール４７を介して電極群３３の接続部３３ａと第１の上層の引き廻し配線であるところの配線電極４３の接続部４３ａとが導通する。また、第２の基板３に配設された走査電極１３である電極群３４は、第１絶縁層１０Ａのスルーホール４８と第２絶縁層１０Ｂのスルーホール５４を介して電極群３４の接続部３４ａと第２の上層の引き廻し配線であるところの配線電極４４の接続部４４ａとが導通する。また、スルーホール４９、５５を介して電極群３５の接続部３５ａと第２の上層の引き廻し配線であるところの配線電極４５の接続部４５ａとが導通する。
【００４９】
以上の構成により、液晶装置１−３は、上記した第１と第２と第３の実施の形態と同様の作用効果を有するほかに、さらに２層の絶縁層を介して多層の引き廻し配線であるところの配線電極が３層に及ぶため、更なる小型化が図れる。
【００５０】
次に、本発明の第５の実施形態における液晶装置の構成を、図１６を用いて説明する。図１６は、本発明に係る第４の実施形態における液晶装置の説明用の分解斜視図である。
尚、本実施形態は、上記した第３の実施形態と略同様の構成であって、その差異は、上記第３の実施形態が１層の絶縁層を挟んで上下に１層づつの２層の引き廻し配線であるところの配線電極を積層する構成に対して第５の実施形態は、２層の絶縁層を用いて３層の引き廻し配線であるところの配線電極を積層する点にある。第３の実施形態に対して同一の構成については、同一符号を付して第５の実施形態の詳細な説明を省略する。
【００５１】
図１６に示すように第５の実施形態における液晶装置１−４は、第１の基板２と第２の基板３とが間隙を有して対向配置され、その間隙にシール材４を配設して形成された空間（間隙）に液晶５を注入し、その後注入口を封止して製造される。
第２透明基板９の第１の基板２との対向面９Ａに走査電極１３であるところの適宜な本数からなる電極群３０、３１、３２、３３、３４、３５が形成されている。この内、最下層に配設された電極群３０は該電極群３０の右端に延出して下層引き廻し配線であるところの配線電極４０と導通している。この下層引き廻し配線であるところの配線電極４０の前端部には、接続部４０ａが形成されている。同様に、最下層に配設された電極群３１は該電極群３１の左端に延出して下層引き廻し配線であるところの配線電極４１と導通されている。この下層引き廻し配線であるところの配線電極４１の前端部には、接続部４１ａが形成されている。該接続部４０ａと接続部４１ａは、第２透明基板９の延出部１５に配設されている。また、接続部４０ａと接続部４１ａとの間には信号電極７のための接続部８ｂが島状に配設されている。
【００５２】
また、第２透明基板９上に第１絶縁層１０Ａ−１が積層されている。該第１絶縁層１０Ａ−１は、窓部２３Ａ−１を有ししている。窓部２３Ａ−１には電極群３２が右端に延出して第１上層の引き廻し配線であるところの配線電極４２−１と導通し、第１絶縁層１０Ａ−１に積層して形成されている。該第１上層の引き廻し配線であるところの配線電極４２−１の前端部には接続部４２ａ−１が形成される。また、窓部２３Ａ−１には電極群３３が左端に延出して第１上層の引き廻し配線であるところの配線電極４３−１と導通し第１絶縁層１０Ａ−１に積層されている。第１上層の引き廻し配線であるところの配線電極４３−１の前端部には接続部４３ａ−１が形成される。前記接続部４２ａ−１と接続部４３ａ−１は、第２透明基板９の延出部１５に配設されている。さらに上記した第１絶縁層１０Ａ−１の上方には第２絶縁層１０Ｂ−１が積層されている。該第２絶縁層１０Ｂ−１は、窓部２３Ｂ−１を有している。該第２絶縁層１０Ｂ−１上には電極群３４の右端に延出して第２上層の引き廻し配線であるところの配線電極４４−１と導通し第２絶縁層１０Ｂ−１に積層して形成されている。該第２上層の引き廻し配線であるところの配線電極４４−１の前端部には接続部４４ａ−１が形成される。また、電極群４５の左端に延出して第２上層の引き廻し配線であるところの配線電極４５−１が一体に積層して形成されている。第１上層の引き廻し配線であるところの配線電極４５−１の前端部には接続部４５ａ−１が形成される。前記接続部４４ａ−１と接続部４５ａ−１は、第２透明基板９の延出部１５に配設されている。また、第５の実施形態における各電極の導通について説明する。第１の基板２に配設された信号電極７は、異方性導電接着剤よりなるシール材４を介して接続部８ａと接続部８ｂとが導通する。また、本実施の形態の液晶装置１−４は、接続部４２ａ−１、４３ａ−１、４４ａ−１、４５ａ−１を延出部１５に引き出すためにスルーホールを必要としない。走査電極１３が各電極群と一体に形成された各引き廻し配線であるところの配線電極の接続部４２ａ−１、４３ａ−１、４４ａ−１、４５ａ−１が直接、延出部１５に配設される。
【００５３】
以上の構成により、液晶装置１−４は、上記した第４の実施の形態と同様の作用、効果の他、第３の実施の形態と同様、絶縁層にスルーホールが不要となりスルーホールの電極上への位置決めが不要になる。
このようにして小型化された液晶装置１−４が得られる。
上記した本発明の実施形態は、パッシブ液晶装置の実施形態をもちいて説明したがＴＦＴ素子やＭＩＭ素子を用いたアクティブ液晶装置にも適用しても同様の効果が得られる。
本発明の実施形態は、透過型液晶装置の実施形態を説明したが、反射型や半透過反射型液晶装置にも適用しても同様の効果が得られる。
【００５４】
【発明の効果】
上記した本発明によれば、複数の引き廻し配線であるところの配線電極を有する液晶装置に於いて、前記引き廻し配線であるところの配線電極が絶縁層を介して多層に積層されているため、各引き廻し配線であるところの配線電極の幅は、従来と同様であっても引き廻し支配線の配設される領域あるいは面積を減少でき、従来にない小型化が得られる効果を有する。
【００５５】
また、本発明に係る液晶装置は、引き廻し配線であるところの配線電極の占める面的領域（平面積）が縮小できるので、基板を縮小せずに引き廻し配線であるところの配線電極同士の間隔を広げることにより隣接引き廻し配線であるところの配線電極同士のショートを防げる効果が得られる。
また、本発明に係る液晶装置は、引き廻し配線であるところの配線電極のしめる面的領域（平面積）が縮小できるので、基板を縮小せずに引き廻し配線であるところの配線電極の配線幅を広くすることで、引き廻し配線であるところの配線電極の配線抵抗を小さくでき、配線抵抗による液晶駆動波形歪みが少なくなり画像品質の向上の効果が得られる。
また、本発明に係る液晶装置は、引き廻し配線であるところの配線電極のしめる面的領域（平面積）が縮小できるので、基板を縮小せずに引き廻し配線であるところの配線電極の配線数（配線本数）を多くすることで、より高密度、高精細度の画像が得られる効果を有する。
【図面の簡単な説明】
【図１】本発明に係わる液晶装置の概略平面図である。
【図２】本発明に係わる液晶装置の説明用の分解斜視図である。
【図３】本発明に係わる第１の基板の平面図である。
【図４】本発明に係わる第２の基板に於ける走査電極と下層の引き廻し配線であるところの配線電極を示す平面図である。
【図５】本発明に係わる第２の基板に於ける絶縁層と各スルーホールを示す平面図である。
【図６】（ａ）は、本発明に係わる第２の基板に於ける右辺に配設される上層の引き廻し配線であるところの配線電極を示す平面図である。
（ｂ）は、本発明に係わる第２の基板に於ける左辺に配設される上層の引き廻し配線であるところの配線電極を示す平面図である。
【図７】本発明に係わる第２の基板の延出部に於ける各電極の接続構成を示す模式分解斜視図である。
【図８】図７から第１の基板を除いた状態を示す平面図である。
【図９】図１におけるＡ−Ａ線に沿う一部省略した断面図である。
【図１０】図１におけるＢ−Ｂ線に沿う一部省略した断面図である。
【図１１】図１におけるＣ−Ｃ線に沿う断一部省略した断面図である。
【図１２】（ａ）は、同液晶装置の延出部に駆動ＩＣとＦＰＣを接続した状態を示す平面図である。
（ｂ）は、同液晶装置の延出部にＦＰＣを接続した状態を示す平面図である。
【図１３】本発明に係わる第２の実施形態における液晶装置の説明用の分解斜視図である。
【図１４】本発明に係わる第３の実施形態における液晶装置の説明用の分解斜視図である。
【図１５】本発明に係わる第４の実施形態における液晶装置の第２の基板の延出部に於ける各電極の接続構成を示す模式分解斜視図である。
【図１６】本発明に係わる第５の実施形態における液晶装置の第２の基板の延出部に於ける各電極の接続構成を示す模式分解斜視図である。
【図１７】（ａ）は、ＥＱＣＩＦ規格の液晶装置を用いた携帯電話の平面図である。
（ｂ）は、ＱＣＩＦ規格の液晶装置を用いた携帯電話の平面図である
【図１８】従来の液晶装置の平面図である。
【図１９】従来の液晶装置の説明用の分解斜視図である。
【図２０】図１８におけるＤ−Ｄ線に沿う部分拡大断面図である。
【図２１】図１８におけるＥ−Ｅ線に沿う部分拡大断面図である。
【図２２】従来の他の液晶装置の平面図である。
【符号の説明】
１      液晶装置
２      第１の基板
３      第２の基板
４      シール材
５      液晶
６      第１透明基板
６Ａ、９Ａ    対向面
７      信号電極
８      引き廻し配線であるところの配線電極
９      第２透明基板
１０    絶縁層
１１、１２  上層の引き廻し配線であるところの配線電極
１３    走査電極
１４    表示領域
１５    延出部
１６、１７、１８、１９  電極群
２０、２１  下層の引き廻し配線であるところの配線電極
２２    枠部
２３    窓部
２４、２５、２６、２７  スルーホール
６０    集積回路
６１    ＦＰＣ
Ｇ      画素
【図１】
2004205925.tif 000003
【図２】
2004205925.tif 000004
【図３】
2004205925.tif 000005
【図４】
2004205925.tif 000006
【図５】
2004205925.tif 000007
【図６】
2004205925.tif 000008
【図７】
2004205925.tif 000009
【図８】
2004205925.tif 000010
【図９】
2004205925.tif 000011
【図１０】
2004205925.tif 000012
【図１１】
2004205925.tif 000013
【図１２】
2004205925.tif 000014
【図１３】
2004205925.tif 000015
【図１４】
2004205925.tif 000016
【図１５】
2004205925.tif 000017
【図１６】
2004205925.tif 000018
【図１７】
2004205925.tif 000019
【図１８】
2004205925.tif 000020
【図１９】
2004205925.tif 000021
【図２０】
2004205925.tif 000022
【図２１】
2004205925.tif 000023
【図２２】
2004205925.tif 000024